(57)【要約】【課題】木製の柱脚（３）に対して凹溝等の加工を不要とし、しかも強固に起立支持することが可能なウッドデッキの柱脚支持構造を提供する。【解決手段】柱脚（３）をその長手方向に沿って固定可能な固定板部（２２）を有する第１支持金具（２０）の第１螺合手段（２４）を、立ち上がり縁部（２）に固定される第２支持金具（３０）の第２螺合手段（３２）に螺合し、第１支持金具（２０）と第２支持金具（３０）との間で立ち上がり縁部（２）を覆う笠木（７）を挟持すると共に、固定板部（２２）に固定される柱脚（３）を鉛直方向に起立支持する。２つの支持金具（２０、３０）により柱脚（３）を充分な強度で起立支持することができ、立ち上がり縁部（２）を覆う笠木（７）をがたつきなく取り付けることができる。【選択図】  図１
2004270299.tif 000002
【特許請求の範囲】
【請求項１】
デッキ周辺の立ち上がり縁部（２）に木製の柱脚（３）を起立支持する構造であって、
固定孔（２２ａ）が穿設され、柱脚（３）の長手方向に沿った固定板部（２２）を有し、底面（２１）から第１螺合手段（２４）が垂設された第１支持金具（２０）と、
第１螺合手段（２４）と螺合する第２螺合手段（３２）を有し、立ち上がり縁部（２）に固定される第２支持金具（３０）とを備え、
第１螺合手段（２４）と第２螺合手段（３２）を螺合し、第１支持金具（２０）と第２支持金具（３０）との間で立ち上がり縁部（２）を覆う笠木（７）を挟持すると共に、第１支持金具（２０）の固定板部（２２）を鉛直方向に起立させ、固定板部（２２）に沿って固定される柱脚（３）を起立支持することを特徴とするウッドデッキの柱脚支持構造。
【請求項２】
柱脚（３）の下端部を包み込む枡型枠部（４１）が第１支持金具（４０）の上部に形成されており、枡型枠部（４１）の少なくとも一側面部が固定板部（４４）であることを特徴とする請求項１に記載のウッドデッキの柱脚支持構造。
【請求項３】
第１支持金具（２０）及び／又は第２支持金具（３０）と笠木（７）の間に弾性パッキング（２５、２６）を介在させたことを特徴とする請求項１または２に記載のウッドデッキの柱脚支持構造。
【請求項４】
第１螺合手段（２４）または第２螺合手段（３２）のいずれか一方が第１支持金具（２０）または第２支持金具（３０）に固定されたボルトであり、他方がナットであることを特徴とする請求項１乃至３のいずれか１項に記載のウッドデッキの柱脚支持構造。
【発明の詳細な説明】
【０００１】
【発明の属する技術分野】
本発明は、手摺を支持する木製の柱脚をデッキ周辺の立ち上がり縁部に起立支持するウッドデッキの柱脚支持構造に関する。
【０００２】
【従来の技術】
バルコニーでは、デッキ周辺の立ち上がり縁部に所定ピッチで柱脚を起立支持し、この柱脚の上端部分に手摺を掛け渡している。柱脚の支持は、立ち上がり縁部の上部から、立ち上がり縁部を貫通させた固定ねじを起立させ、柱脚の下端に形成したフランジ部を挿通させた固定ねじをナット締めして、笠木を組み付けた状態で立ち上がり縁部上に起立支持している。ここで、笠木は立ち上がり縁部の上部を覆い、これにより立ち上がり縁部内への雨水の侵入を防止している。
【０００３】
このような構造においては、手摺にもたれ掛かると、柱脚の下端部分に大きな回転モーメントが発生するため、柱脚を強固に起立支持する必要がある。このため、従来では、補強部材を組み付けることが行われている。補強部材は、アングル形状となっており、一方の辺を柱脚にねじ止めし、他方の辺を笠木にねじ止めすることにより柱脚の倒れを防止するように作用する。（例えば、特許文献１参照）
【特許文献１】
特開平５−３４００５６号公報（第２頁、図１）
【発明が解決しようとする課題】
しかしながら、補強部材を組み付ける場合には、補強部材によって美感が損なわれる問題を有している。また、補強部材を組み付けるための作業が必要であり、手間がかかるものとなっている。
【０００４】
ところで、近年においては、自然環境へ順応させるなどの嗜好面から柱脚や手摺を木材によって形成したウッドデッキの需要が高まっている。このウッドデッキにおいては、木材自体の強度に欠けるため、柱脚を起立支持するための固定ねじを挿通させるフランジ等は形成できない。
【０００５】
このため、図６のようにナット締めする空間を凹設したり、木製の柱脚の下端部分から笠木を通じて斜め方向に立ち上がり縁部まで釘を打ち込むことが行われる。
【０００６】
図６において、符号１００は角柱形状に成形された木製の柱脚であり、その下側部分の一側面を刳り抜き加工することにより凹溝１１０が形成されている。また、立ち上がり縁部上端の笠木裏板１２０と柱脚１００との間には、笠木受け１３０及び笠木１４０が組み付けられた状態で取り付けられており、柱脚１００の下端面を笠木１４０に当接させた状態で、笠木裏板１２０側から凹溝１１０に達するボルト１５０を貫通させ、ナット１６０をボルト１５０を螺合して締め付けることにより、柱脚１１０を笠木１４０を介して立ち上がり縁部上に起立支持している。
【０００７】
しかしながら、図６に示す構造では、凹溝１１０を形成することによって柱脚１００の強度が低下するばかりでなく、凹溝１１０形成のための作業が必要となる煩雑さがある。
【０００８】
また、釘を打ち込んで柱脚を支持する構造でも、充分な固定強度が得られず、また、斜めに打ち込む釘の頭が柱脚に残り外観も劣り、更に、笠木に釘を貫通させることにより、釘の打ち込み部分から雨水が浸入する問題を有している。
【０００９】
本発明は、このような従来の問題点を考慮してなされたものであり、木製の柱脚に対して凹溝等の加工を不要とし、しかも強固に起立支持することが可能なウッドデッキの柱脚支持構造を提供することを目的とする。
【００１０】
【課題を解決するための手段】
上記目的を達成するため、請求項１のウッドデッキの柱脚支持構造は、デッキ周辺の立ち上がり縁部に木製の柱脚を起立支持する構造であって、
固定孔が穿設され、柱脚の長手方向に沿った固定板部を有し、底面から第１螺合手段が垂設された第１支持金具と、第１螺合手段と螺合する第２螺合手段を有し、立ち上がり縁部に固定される第２支持金具とを備え、
第１螺合手段と第２螺合手段を螺合し、第１支持金具と第２支持金具との間で立ち上がり縁部を覆う笠木を挟持すると共に、第１支持金具の固定板部を鉛直方向に起立させ、固定板部に沿って固定される柱脚を起立支持することを特徴とする。
【００１１】
請求項１の発明では、第１支持金具は、第１及び第２螺合手段を螺号させることにより、立ち上がり縁部に固定された第２支持金具に結合され、第１支持金具の固定板部が鉛直方向に起立する。柱脚は、その長手方向に沿って配置する固定板部の固定孔に釘、ねじなどを挿通させて、第１支持金具に固定できるので、第１支持金具と第２支持金具を介して鉛直方向に起立支持することができる。
【００１２】
このような構造では、木製の柱脚に対する凹溝等の加工が不要となるため、柱脚の強度が低下することがなく、また、２つの支持金具によって支持するため、充分な強度で起立支持することができる。
【００１３】
しかも、第１支持金具及び第２支持金具によって笠木を挟持する構造のため、笠木はがたつきなく取り付けられる。
【００１４】
請求項２のウッドデッキの柱脚支持構造は、柱脚の下端部を包み込む枡型枠部が第１支持金具の上部に形成されており、枡型枠部の少なくとも一側面部が固定板部であることを特徴とする。
【００１５】
請求項２の発明では、枡型枠部によって柱脚を包み込み、固定孔を挿通させるねじ、釘などと共に、枡型枠部の内側面によって柱脚を固定する構造となる。このような支持構造では、枡型枠部によって柱脚をその全周から支持するため、より強固に支持することが可能となる。
【００１６】
請求項３のウッドデッキの柱脚支持構造は、第１支持金具及び／又は第２支持金具と笠木の間に弾性パッキングを介在させたことを特徴とする。
【００１７】
請求項３の発明では、支持金具と笠木の間に弾性パッキングが介在するので、螺号手段を貫通させることにより形成される笠木の孔から、雨水などが立ち上がり縁部内に侵入することがなく、立ち上がり縁部は劣化しにくい。
【００１８】
また、螺号する際に、弾性パッキンがねじの進み方向に圧縮されるので、第１、第２螺号手段のいずれかを過度に締め付けてねじを破損させることがない。
【００１９】
請求項４のウッドデッキの柱脚支持構造は、第１螺合手段または第２螺合手段のいずれか一方が第１支持金具または第２支持金具に固定されたボルトであり、他方がナットであることを特徴とする。
【００２０】
請求項４の発明では、ボルト及びナットによって螺合手段を構成することにより、第１支持金具及び第２支持金具を簡単且つ強固に結合させることができる。
【００２１】
【発明の実施の形態】
以下、本発明の第１実施の形態に係るウッドデッキの柱脚支持構造を図１乃至図４を用いて説明する。図１は、ウッドデッキ１の要部分解断面図、図２は、要部縦断面図、図３は、ウッドデッキ１の正面図、図４は、ウッドデッキ１の平面図である。
【００２２】
この実施の形態のウッドデッキ１は、図４に示すように、バルコニー１０の周囲に施工されるものであり、バルコニー１０の周囲は、例えば３００ｍｍ立ち上がった立ち上がり縁部２となっている。
【００２３】
図２、図３に示すように、立ち上がり縁部２は、バルコニー１０の土台を形成する木製梁１１に、周縁に沿って等間隔に起立支持される木製手摺束１２と、手摺束１２の上面に掛け渡された笠木裏板８と、手摺束１２の内面と外面に沿って貼り付けられる化粧板１４Ａ、１４Ｂとで構成されている。
【００２４】
手摺束１２は、その下端で梁１１とほぞ結合された後、釘を打ち込んで梁１１上に起立支持される。また、笠木裏板８から各手摺束１２に釘を打ち込むことにより、各手摺束１２は笠木裏板８を介して一体に連結される。
【００２５】
化粧板１４Ａ、１４Ｂは、ベニヤなどの合板を用いて、手摺束１２を覆うものであるが、ここでは、更に、バルコニー１０の外側に面する化粧板１４Ａに、モルタルを塗布して防水層、防腐層を形成し、内側に面する化粧板１４Ｂに、ＦＲＰ塗装を施して、補強及び防水を行っている。
【００２６】
図２に示すように、立ち上がり縁部２の上部は、アルミニウム合金等の防錆性金属により樋状に形成された笠木７で覆われる。笠木７は、樋状の開口側を下方に向けて、笠木裏板８と化粧板１４Ａ、１４Ｂを跨ぐ様に取り付けられ、これにより、立ち上がり縁部２内に雨水が浸入することがなく、梁１１、手摺束１２、笠木裏板８等が濡れて腐蝕することが防止される。
【００２７】
ウッドデッキ１を構成する柱脚３は木製からなり、図３、図４に示すように、立ち上がり縁部２の長手方向に沿って、複数が所定間隔で起立支持される。柱脚３の上端には、木製の手摺４が掛け渡され、下方には、手摺４と平行となるように水平に横桟５が取り付けられいる。更に、手摺４及び横桟５の間に、格子板６が斜めにたすき掛けされ、ウッドデッキ１が構成されている。
【００２８】
この実施の形態に係る柱脚支持構造は、各柱脚３を立ち上がり縁部２に起立支持するために、第１支持金具２０と第２支持金具３０を有している。第１支持金具２０は柱脚３を固定するものであり、第２支持金具３０は、立ち上がり縁部２の笠木裏板８に固定して第１支持金具２０を支持し、これにより柱脚３が起立支持される。
【００２９】
第１支持金具２０は、図１に示すように、正方形の底板２１と、その対向する側辺から鉛直方向に立設され、それぞれ釘９を貫通させる固定孔２２ａが穿設された一対の固定板部２２、２２と、底板２１底面中心から鉛直方向に垂設されるロッド部２３と、ロッド部２３の下方に連設され、ロッド部２３より小径の第１螺合手段としてのボルト部２４とを一体に有している。
【００３０】
ここでは、固定板部２２、２２と底板２１とは、一枚の金属板をプレス加工で、一対の固定板部２２、２２間の間隔が、固定する柱脚３の幅よりわずかに広い間隔となるように折り曲げ加工したもので、その底板２１の底面中央に、ボルト部２４を先端に加工したロッド部２３の基端を溶接し一体化している。
【００３１】
第２支持金具３０は、複数箇所に小孔３１ａが穿設された平板状の取付板部３１と取付板部３１の中央から上方に立設されたナット筒部３２とが一体に形成されている。ナット筒部３２は第２螺合手段となるものであり、その内面には、第１支持金具２０のボルト部２４が螺合する雌ねじが形成されている。
【００３２】
ボルト部２４をナット筒部３２へ螺号させる際には、図１、図２に示すように、２枚のゴムパッキング２５、２６と笠木７を介在させて挟持するもので、従って、これらのゴムパッキング２５、２６と笠木７には、ボルト部２４を挿通させる挿通孔２５ａ、２６ａ、７ａが穿設されると共に、ボルト部２４の長さは、これらの厚みを加えた長さより長く、これらの厚みにナット筒部３２の軸方向長さを加えた長さより短いものとなっている。又、挿通孔２５ａ、２６ａの内径は、ボルト部２４の外径より大きく、それぞれロッド部２３、ナット筒部３２の外径より小さいものとなっている。
【００３３】
次に、ウッドデッキ１の柱脚３を立ち上がり縁部２上に起立支持させる施工を説明する。
【００３４】
始めに、第２支持金具３０は、柱脚３を起立支持しようとする部位の笠木裏板８上に取付板部３１を載置し、タッピンネジ１９を小孔３１ａを通して笠木裏板８へねじ込むことにより固定する。笠木裏板８上へ固定することにより、ナット筒部３２は、上方に向かって起立支持され、その上に、ゴムパッキング２６と笠木７を配置しておく。
【００３５】
続いて、ゴムパッキング２５の挿通孔２５ａに挿通させた第１支持金具２０のボルト部２４を、笠木７の挿通孔７ａ、ゴムパッキング２６の挿通孔２６ａの順に挿通させ、ナット筒部２４内に挿入する。その後、第１支持金具２０を回転させて、ボルト部２４をナット筒部３２に螺合させ、これらを締結することにより、第１支持金具２０及び第２支持金具３０を結合状態とする。
【００３６】
この結合により、笠木７と、その上下に配置されるゴムパッキング２５、２６が、第１支持金具２０のロッド部２３と、第２支持金具３０のナット筒部２４上面との間に挟持される。挟持することにより、笠木７が強固に固定されるため不用意に外れることがなく、また、この笠木７が立ち上がり縁部２の上方を覆うため、その内部に雨水が浸入しない。笠木７には、挿通孔７ａが穿設されているが、その上下に締め付けにより圧縮されたゴムパッキング２５、２６が配設されているので、挿通孔７ａから雨水が侵入することをより確実に防止できる。
【００３７】
第１支持金具２０を取り付けた後、柱脚３を第１支持金具２０に対して固定する。柱脚３は、ここでは、一辺が２０ｃｍの四角柱を用い、この柱脚３の幅よりわずかに広い間隔となった第１支持金具２０の固定板部２２、２２間に、柱脚３の底面が底板２１に当接するまで挿入する。この挿入により、固定板部２２、２２の内側面は柱脚３の外面に沿って配置され、この状態で、釘９を固定孔２２ａを通して柱脚３へ打ち込み、第１支持金具２０に柱脚３を固定する。固定した状態で、柱脚３は、立ち上がり縁部２上に強固に起立支持される。
【００３８】
全ての柱脚３を起立支持した後、手摺４と横桟５を掛け渡し、格子板６を釘で打ち付けてウッドデッキ１を完成させる。
【００３９】
上述の実施の形態では、笠木裏板８に第２支持金具３０を固定し、第２支持金具３０に対して第１支持金具２０を結合し、第１支持金具２０によって柱脚３を起立支持するため、木製の柱脚３に対して凹溝等の加工が不要となる。これにより、柱脚３自体の強度を低下させることなく、充分な強度で支持することが可能となる。
【００４０】
また、第１支持金具２０の底板２１は、笠板７からロッド部２３の長さだけ、上方に位置しているので、ゴムパッキング２５やボルト部２４回りの通気性が保たれ、雨水などで濡れても乾燥し、これらの酸化、腐蝕を防止できる。
【００４１】
図５は、第１支持金具の形状が異なる本発明の他の実施の形態を示すもので、図に示す第１支持金具４０は、その上部に有底四角筒状の枡型枠部４１を有すると共に、枡型枠部４１の底面中央からロッド部４２とその先端に第１螺合手段としてのボルト部４３が垂設されている。
【００４２】
枡型枠部４１には、四角柱状に形成された木製の柱脚３の下端部分を挿入する。この挿入によって、枡型枠部４１の４つの内側面が柱脚３のそれぞれの外面に接触して柱脚３を支持する。すなわち、この第１支持金具４０においては、枡型枠部４１を構成する周囲の側板が柱脚３を固定するための固定板部４４となっていて、第１支持金具２０のように、釘９を打ち込むことなく、柱脚３を支持することができる。
【００４３】
しかしながら、柱脚３の固定をさらに確実に行うため、各固定板部４４に釘４５を挿通させる固定孔４４ａが穿設され、枡型枠部４１に挿入された柱脚３に、釘４５を打ち込んで固定している。
【００４４】
このように、第１支持金具には、固定しようとする柱脚３の長手方向に沿った固定板部が少なくとも１枚備えられていればよく、その形状を種々の形状とすることができる。
【００４５】
また、上述の実施の形態では、第１支持金具にボルト部が形成され、第２支持金具のナット筒部に螺号させるもので説明したが、第１支持金具に雌ねじを形成したナット筒部を形成し、第２支持金具の雄ねじを形成したボルト部を螺号させるものでもよい。このように第２支持金具にボルト部を形成すれば、螺号する前に、ボルト部を起立させておき、ゴムパッキング２５、笠木７、弾性パッキング２６を順次挿通させておくことができ、より組立作業が容易になる。
【００４６】
更に、第２支持金具の第２螺号手段は、必ずしも立ち上がり縁部２に固定される部分と一体である必要はなく、例えば、立ち上がり縁部２に固定される取付板部から第２螺号手段となるナットを分離させ、取付板部を貫通させる第１螺号手段であるボルト部にナットを螺号して取付板部とともに締め付け、これにより取付板部と一体化するものであってもよい。
【００４７】
更に、上述のゴムパッキング２５、２６は、弾性材料で形成するものであれば、他の材料の弾性パッキングであってもよく、また、ある程度の防水性を保つことができれば、笠木７の上下のいずれか一方のみに配置、若しくは、いずれも配置しなくてもよい。
【００４８】
更に、第１支持金具２０、４０のロッド部２３、４２は、必ずしも形成する必要はなく、底板２１、固定板部２２、枡型枠部４１等から直接ボルト部２４、４３を垂設してもよい。
【００４９】
【発明の効果】
以上説明したように、本発明によれば、螺合手段の螺合によって２つの支持金具を結合し、２つの支持金具を介して柱脚を固定するため、柱脚を簡単にかつ強固に起立支持することができる。
【００５０】
また、固定するための加工を、柱脚に対して施さないので、柱脚の強度を保持することができる。
【００５１】
更に、柱脚の起立支持と共に、２つの支持金具によって笠木を挟持して位置決めすることができ、雨水の立ち上がり縁部への浸入を防止することができると共に、笠木ががたついたり外れることがなくなる。
【図面の簡単な説明】
【図１】本発明の一実施の形態に係るウッドデッキ１の要部分解断面図である。
【図２】ウッドデッキ１の要部縦断面図である。
【図３】ウッドデッキ１の正面図である。
【図４】ウッドデッキ１の平面図である。
【図５】他の実施の形態に係る第１支持金具４０の斜視図である。
【図６】従来のウッドデッキの柱脚支持構造を示す斜視図である。
【符号の説明】
２          立ち上がり縁部
３          柱脚
７          笠木
２０、４０  第１支持金具
２１        底板（底面）
２２        固定板部
２２ａ      固定孔
２５、２６  ゴムパッキング（弾性パッキング）
２４        ボルト部（第１螺合手段）
３０        第２支持金具
３２        ナット筒部（第２螺合手段）
４１        枡型枠部
４４        固定板部
【図１】
2004270299.tif 000003
【図２】
2004270299.tif 000004
【図３】
2004270299.tif 000005
【図４】
2004270299.tif 000006
【図５】
2004270299.tif 000007
【図６】
2004270299.tif 000008